(57)【要約】【課題】身体の筋肉が硬くなったり痛くなったりした部位を治したり、病気を治療したりする脳部健康管理キャップの使用方法を提供する。【解決手段】脳部健康管理キャップの使用方法は、人の頭部に被せる電極キャップＡと、電極キャップＡに接続された本体Ｂとを含む。電極キャップＡは、身体の頭蓋骨に対応した形状に形成され、頭部の頭頂葉関心領域に設けた複数の嵌入部Ａ１，Ａ２にプローブ電極Ｃが埋設される。本体Ｂは、電気刺激発生ユニット及び正負電極電流発生ユニットから構成され、本体Ｂの電気刺激発生装置により電力を発生させ、電極キャップＡ中に搭載した電極回路により電気刺激を発生させて頭頂葉Ｄ１の特定の大脳皮質関心領域に刺激を与えて身体のこり・筋肉痛を和らげたり病気を治したりする。【選択図】図１
2015016183.tif 000002
【特許請求の範囲】
【請求項１】
人の頭部に被せる電極キャップと、前記電極キャップに接続された本体と、を含む脳部健康管理キャップの使用方法であって、
前記電極キャップは、身体の頭蓋骨に対応した形状に形成され、頭部の頭頂葉関心領域に設けた複数の嵌入部にプローブ電極を埋設し、
前記本体は、電気刺激発生ユニット及び正負電極電流発生ユニットから構成され、前記本体の電気刺激発生装置により電力を発生させ、前記電極キャップ中に搭載した電極回路により電気刺激を発生させて頭頂葉の特定の大脳皮質関心領域に刺激を与えて身体のこり・筋肉痛を和らげたり病気を治したりし、
保健作業領域は、頭蓋骨の頭頂葉の頭皮上に位置し、頭頂葉の後側面は後頭葉であり、頭頂葉の前側面は前頭葉であり、頭頂葉の左右両側は側頭葉であり、頭頂葉の前後が１３個の水平領域に均等に分けられ、頭頂葉の左右が６個の水平領域に均等に分けられ、頭頂葉の前後と左右の組み合わせにより、７８個の頭頂葉関心領域が形成され、順次左から右方向へ、かつ、後頭葉から前頭葉へ向かって整理番号１〜７８が割り当てられ、
前記電極キャップには、整理番号１、３、４、６、７、９、１０、１２、１３、１５、１６、１８、１９、２１、２２、２４、７３、７８だけが割り当てられ、長方形のプローブ電極は、作業領域であり、かつ、整理番号４９、５１、５２、５４、７５、７６が割り当てられ、方形を呈する前記プローブ電極は、作業領域であり、前記電極キャップ中に搭載された２４個の前記電極回路により電気刺激を発生させ、頭頂葉の特定の大脳皮質部分に刺激を与え、身体のこり・筋肉痛を和らげたり病気を治したりすることを特徴とする脳部健康管理キャップの使用方法。
【請求項２】
身体のこり・筋肉痛を和らげたり病気を治したりするための健康管理の作業領域は、整理番号３、４、９、１０、１５、１６、２１、２２、７３、７８のメイン刺激領域と、整理番号１、７、１３、１９、６、１２、１８、２４のサイド刺激領域とを含むことを特徴とする請求項１に記載の脳部健康管理キャップの使用方法。
【請求項３】
皮膚病の健康管理の作業領域は、整理番号３、４、１５、１６、７３、７８のメイン刺激領域と、整理番号１、６、１３、１８のサイド刺激領域とを含むことを特徴とする請求項１に記載の脳部健康管理キャップの使用方法。
【請求項４】
糖尿病の健康管理の作業領域は、整理番号３、４、１５、１６、７３、７８のメイン刺激領域と、整理番号１、６、１３、１８、４９、５１、５２、５４のサイド刺激領域とを含むことを特徴とする請求項１に記載の脳部健康管理キャップの使用方法。
【請求項５】
尿失禁の健康管理の作業領域は、整理番号３、４、２１、２２のメイン刺激領域と、整理番号１、６、１９、２４、７３、７８のサイド刺激領域とを含むことを特徴とする請求項１に記載の脳部健康管理キャップの使用方法。
【発明の詳細な説明】
【技術分野】
【０００１】
本発明は、脳部健康管理キャップの使用方法に関し、特に、電気刺激発生ユニットにより電力を発生させ、電極キャップ中に取り付けた電極回路により電気刺激を発生させ、頭頂葉の特定の大脳皮質部分に刺激を与え、身体のこり・筋肉痛を和らげたり、病気を治したりする、脳部健康管理キャップの使用方法に関する。
【背景技術】
【０００２】
大脳は人が思考する際に用いる臓器であり、大脳科学及びそれに関連した研究は、近年幅広く研究され、既知の脳の基本構造と各部の組成は、近年、大脳認知機能に関する研究以外に、各種メンタルヘルス測定機器が進歩した状況下、この方面の研究は、多元化かつ完全に行うことができるようになっている。多くの研究測定方法において、脳波（Ｅｌｅｃｔｒｏｅｎｃｅｐｈａｌｏｇｒａｍ：ＥＥＧ）は、脳部の活動を直接測定することができる特性を有する上、時間解析度の長所を有し、我々が大脳神経及び認知機能を理解する際の助けとなり、脳波測定実験中では大脳皮質の各領域の活動状況を見て、人が活動する際の大脳の電位活動から大脳の各領域の活動状況を知ることができる。例えば、従来から医学分野では、癲癇と脳波との関連性が研究されている。文明が発達し、生活習慣が変化するに従い、身体にこりや筋肉痛が起こり易くなり、従来の健康管理方式では、服薬以外に針灸、物理療法などの方式により身体のこり・筋肉痛を和らげていた。
【０００３】
経頭蓋直流電気刺激療法（Ｔｔｒａｎｓｃｒａｎｉａｌ  Ｄｉｒｅｃｔ  Ｃｕｒｒｅｎｔ  Ｓｔｉｍｕｌａｔｉｏｎ：ｔＤＣＳ）は、非侵入性の療法であり、医学研究において幅広く応用され、大脳皮質の塑性研究では一般に経頭蓋直流電気刺激を利用し、頭皮上に貼り付けた乾性電極片の入力電流により大脳皮質を刺激することが研究対象であり、医学分野における病気を治療する方法としては萌芽期に属する。
【０００４】
本発明者は、頭頂葉の保健刺激方法を率先して研究し、電気刺激を与えることにより身体のこり・筋肉痛を和らげたり、病気を治したりすることができる脳部健康管理キャップを開発した。
【発明の概要】
【発明が解決しようとする課題】
【０００５】
本発明の目的は、電気刺激発生ユニットにより電力を発生させ、電極キャップ中に搭載した電極回路により電気刺激を発生させて頭頂葉の特定の大脳皮質に刺激を与え、身体の筋肉が硬くなったり痛くなったりした部位を治したり、病気を治療したりする脳部健康管理キャップの使用方法を提供することにある。
【課題を解決するための手段】
【０００６】
上記課題を解決するために、本発明の第１の形態によれば、人の頭部に被せる電極キャップと、前記電極キャップに接続された本体と、を含む脳部健康管理キャップの使用方法であって、前記電極キャップは、身体の頭蓋骨に対応した形状に形成され、頭部の頭頂葉関心領域に設けた複数の嵌入部にプローブ電極を埋設し、前記本体は、電気刺激発生ユニット及び正負電極電流発生ユニットから構成され、前記本体の電気刺激発生装置により電力を発生させ、前記電極キャップ中に搭載した電極回路により電気刺激を発生させて頭頂葉の特定の大脳皮質関心領域に刺激を与えて身体のこり・筋肉痛を和らげたり病気を治したりし、保健作業領域は、頭蓋骨の頭頂葉の頭皮上に位置し、頭頂葉の後側面は後頭葉であり、頭頂葉の前側面は前頭葉であり、頭頂葉の左右両側は側頭葉であり、頭頂葉の前後が１３個の水平領域に均等に分けられ、頭頂葉の左右が６個の水平領域に均等に分けられ、頭頂葉の前後と左右の組み合わせにより、７８個の頭頂葉関心領域が形成され、順次左から右方向へ、かつ、後頭葉から前頭葉へ向かって整理番号１〜７８が割り当てられ、前記電極キャップには、整理番号１、３、４、６、７、９、１０、１２、１３、１５、１６、１８、１９、２１、２２、２４、７３、７８だけが割り当てられ、長方形のプローブ電極は、作業領域であり、かつ、整理番号４９、５１、５２、５４、７５、７６が割り当てられ、方形を呈する前記プローブ電極は、作業領域であり、前記電極キャップ中に搭載された２４個の前記電極回路により電気刺激を発生させ、頭頂葉の特定の大脳皮質部分に刺激を与え、身体のこり・筋肉痛を和らげたり病気を治したりすることを特徴とする脳部健康管理キャップの使用方法が提供される。
【０００７】
身体のこり・筋肉痛を和らげたり病気を治したりするための健康管理の作業領域は、整理番号３、４、９、１０、１５、１６、２１、２２、７３、７８のメイン刺激領域と、整理番号１、７、１３、１９、６、１２、１８、２４のサイド刺激領域とを含むことが好ましい。
【０００８】
皮膚病の健康管理の作業領域は、整理番号３、４、１５、１６、７３、７８のメイン刺激領域と、整理番号１、６、１３、１８のサイド刺激領域とを含むことが好ましい。
【０００９】
糖尿病の健康管理の作業領域は、整理番号３、４、１５、１６、７３、７８のメイン刺激領域と、整理番号１、６、１３、１８、４９、５１、５２、５４のサイド刺激領域とを含むことが好ましい。
【００１０】
尿失禁の健康管理の作業領域は、整理番号３、４、２１、２２のメイン刺激領域と、整理番号１、６、１９、２４、７３、７８のサイド刺激領域とを含むことが好ましい。
【発明の効果】
【００１１】
本発明の脳部健康管理キャップの使用方法は、以下（１）及び（２）の効果を有する。
（１）本体の電気刺激発生装置により電力を発生させ、電極キャップ中に搭載した電極回路により電気刺激を発生させ、頭頂葉の特定の大脳皮質領域に刺激を与え、身体のこり・筋肉痛を和らげたり、病気を治したりすることができる。
（２）電極キャップに埋設されたプローブ電極がベースを有し、ベースが有する凹溝には、複数のプローブと、プローブに嵌合した伸縮ばねと、が設けられ、髪の毛に電極を挿通し、大脳皮質の関心領域の頭皮に直接接触させて、凹溝により緩衝効果を高めて被ったときの快適性を高めることができる。
【図面の簡単な説明】
【００１２】
【図１】図１は、本発明の一実施形態に係る脳部健康管理キャップの電極キャップを示す斜視図である。
【図２】図２は、本発明の一実施形態に係る脳部健康管理キャップのプローブ電極を示す斜視図である。
【図３】図３は、本発明の一実施形態に係る脳部健康管理キャップを示す模式図である。
【図４】図４は、本発明の一実施形態に係る脳部健康管理キャップの電極キャップのプローブ電極を示す配置図である。
【図５】図５は、本発明の一実施形態に係る脳部健康管理キャップの電極キャップのプローブ電極を示す配置図である。
【図６】図６は、本発明の一実施形態に係る脳部健康管理キャップの電極キャップの頭部頭頂葉の関心領域を示す配置図である。
【発明を実施するための形態】
【００１３】
以下、本発明の実施形態について図に基づいて説明する。なお、これによって本発明が限定されるものではない。
【００１４】
図１〜図３を参照する。図１は、本発明の一実施形態に係る脳部健康管理キャップの電極キャップを示す斜視図である。図２は、本発明の一実施形態に係る脳部健康管理キャップのプローブ電極を示す斜視図である。図３は、本発明の一実施形態に係る脳部健康管理キャップを示す斜視図である。図１〜図３に示すように、本発明の一実施形態に係る脳部健康管理キャップは、患者が被る電極キャップＡと、電極キャップＡに接続された本体Ｂと、を含む。電極キャップＡは、人体の頭蓋骨の形状に応じて設置され、弾性プラスチック材料からなり、頭部の頭頂葉関心領域に設けられた複数の嵌入部Ａ１，Ａ２（本実施形態では長方形及び正方形である）に、プローブ電極Ｃが埋設されている。電極キャップＡに埋設されたこれら複数のプローブ電極Ｃは、ベースボディＣ１を有する。ベースボディＣ１には、凹溝Ｃ１１が形成されている。凹溝Ｃ１１には、複数のプローブＣ２と、プローブＣ２に嵌合された伸縮ばねＣ２１と、を有し、頭髪にプローブ電極Ｃを挿通し、頭皮の大脳皮質の関心領域部分に直接接触させる。これら複数のプローブ電極Ｃには、端子Ｃ３と、コネクタＣ４の導線Ｃ５とが接続され、コネクタＣ４を本体Ｂに挿着し、凹溝Ｃ１１と、伸縮するプローブＣ２とから構成される緩衝機能により、被って使用するときの快適性を高める。本体Ｂは、電気刺激生成ユニット（ＤＣ−ｓｔｉｍｕｌａｔｏｒ  ｐｌｕｓ）と、正負極電流生成ユニットとの二つの部分から構成される。本発明では、発振、温熱、光源、電気、レーザ、音波、電波、押圧などの刺激方法を用いてもよい。
【００１５】
前述した部材の組み合わせにより脳部健康管理キャップの使用方法を構成する。本体Ｂの電気刺激生成器により電力を発生させ、電極キャップＡ中に搭載した電極回路により電気刺激を発生させ、頭頂葉の特定の大脳皮質領域に刺激を与え、身体のこり・筋肉痛を和らげたり、病気を治したりする。
【００１６】
図４〜図６を参照する。図４は、本発明の一実施形態に係る脳部健康管理キャップの電極キャップのプローブ電極を示す配置図である。図５は、本発明の一実施形態に係る脳部健康管理キャップの電極キャップのプローブ電極を示す配置図である。図６は、本発明の一実施形態に係る脳部健康管理キャップの電極キャップの頭部頭頂葉の関心領域を示す配置図である。図４〜図６に示すように、本発明の一実施形態に係る脳部健康管理キャップの使用方法について、まず、人の頭部を例に説明すると、図４〜図６に示すように、頭部の頭頂葉Ｄ１は、右側面が右側頭葉Ｄ３であり、左側面が左側頭葉Ｄ２であり、後側面が後頭葉Ｄ４であり、前側面が前頭葉Ｄ５である。本実施形態の保健作業領域が頭蓋骨の頭頂葉の頭皮上に位置し、頭頂葉の前後は、１３個の水平領域に均等に分けられる。頭頂葉の左右は、６個の水平領域に均等に分けられる。２つの次元の組み合わせにより、整理番号１〜７８が割り当てられた７８個の頭頂葉が形成される。
【００１７】
右頭頂葉には、整理番号１、２、３、７、８、９、１３、１４、１５、１９、２０、２１、２５、２６、２７、３１、３２、３３、３７、３８、３９、４３、４４、４５、４９、５０、５１、５５、５６、５７、６１、６２、６３、６７、６８、６９、７３、７４、７５が割り当てられる。
【００１８】
左頭頂葉には、整理番号４、５、６、１０、１１、１２、１６、１７、１８、２２、２３、２４、２８、２９、３０、３４、３５、３６、４０、４１、４２、４６、４７、４８、５２、５３、５４、５８、５９、６０、６４、６５、６６、７０、７１、７２、７６、７７、７８が割り当てられる。
【００１９】
頭頂葉内は、７８個の頭頂葉頭皮の関心領域に分けられ、そこは保健の作業領域であり、身体のこり・筋肉痛を和らげたり病気を治したりするために、７８個のブロック内で様々な変化の刺激治療を行うことが本発明の主な特徴である。
【００２０】
頭蓋骨と身体とは複雑に関連しており、この関連関係において筋肉の力学原理のストレッチ変化及び対側関係により、健康管理全体の変化が大きくなる。身体のこり・筋肉痛・病気が生じる箇所は、神経反射領域の位置により決まる。そのため身体のこり・筋肉痛・病気に対する健康管理は、以下７８個の頭頂葉関心領域に異なる刺激を与えることにより行うことができる。メイン刺激領域とは、身体のこり・筋肉痛・病気に対する主な刺激健康管理領域であり、メイン刺激領域の効果が顕著でない場合、サブ刺激領域を健康管理領域として用いる。
【００２１】
本実施形態の電極キャップＡは、整理番号１、３、４、６、７、９、１０、１２、１３、１５、１６、１８、１９、２１、２２、２４、７３、７８だけを含み、長方形１ｃｍ×４ｃｍを呈する作業領域であるプローブ電極Ｃを組み合わせ、整理番号４９、５１、５２、５４、７５、７６を選択し、方形１ｃｍ×１ｃｍを呈する作業領域であるプローブ電極Ｃを組み合わせる。電極キャップＡ中に取り付けた２４個の電極回路により頭頂葉の特定の大脳皮質部分に刺激を与え、身体のこり・筋肉痛を和らげたり、病気を治したりする。
【００２２】
図３を参照する。図３に示すように、本実施形態の脳部健康管理キャップを実際に使用する際、電極キャップＡを頭部に被せ、電極キャップＡを本体Ｂに接続する。機械は、電気刺激発生装置及び正負極回路の２つの部分から構成され、電極キャップＡの電流は、主に電気刺激発生装置により発生され、電極キャップＡ中に取り付けた２４個の電極回路により電気刺激を発生させ、頭頂葉の特定の大脳皮質部分に刺激を与え、身体のこり・筋肉痛を和らげたり、病気を治したりする。
【００２３】
経頭蓋直流電気刺激療法は、非侵入性の機器を使用するため、多くの医学研究において幅広く利用され、大脳皮質の塑性研究では頻繁に経頭蓋直流電気刺激が用いられている。即ち、頭皮上に貼り付けた乾性電極のプローブＣ２により電流を入力し、大脳皮質の関心領域を刺激する。電極キャップＡは、寸法が容易に調整できるように弾性ゴムからなり、頭の周長が異なる患者を治療することができる上、治療する箇所が容易に変位しない。そのため正確で信頼性が高い。
【００２４】
上述したことから分かるように、本発明の脳部健康管理キャップの使用方法は、プローブ電極の電極キャップに、電極キャップに接続された本体を組み合わせ、電気刺激発生ユニットにより電力を発生させ、電極キャップ中に取り付けた電極回路により電気刺激を発生させ、頭頂葉の特定の大脳皮質領域に刺激を与えて身体のこり・筋肉痛・病気に対する健康管理を行う。
【００２５】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２６】
Ａ      電極キャップ
Ａ１    嵌入部
Ａ２    嵌入部
Ｂ      本体
Ｃ      プローブ電極
Ｃ１    ベースボディ
Ｃ２    プローブ
Ｃ３    端子
Ｃ４    コネクタ
Ｃ５    導線
Ｃ１１  凹溝
Ｃ２１  伸縮ばね
Ｄ１    頭頂葉
Ｄ２    左側頭葉
Ｄ３    右側頭葉
Ｄ４    後頭葉
Ｄ５    前頭葉
【図１】
2015016183.tif 000003
【図２】
2015016183.tif 000004
【図３】
2015016183.tif 000005
【図４】
2015016183.tif 000006
【図５】
2015016183.tif 000007
【図６】
2015016183.tif 000008